(57)【要約】【課題】売上情報管理センターと自動販売機管理センターとの間の決済処理の信憑性を確実に判断する。【解決手段】利用者識別情報を有する記録媒体が正当であるかどうかを判別し、前記記録媒体が正当であると判別したとき、販売商品の売上情報を記憶する判別部、販売商品の売上情報を前記判別部と異なる記憶形態で記憶する記憶部、前記記憶部に記憶される前記売上情報を印刷する印刷装置、を有し、自動販売機管理センターと、前記判別部に記憶される前記売上情報を受信し、前記自動販売機管理センターに対して、当該売上情報の決済処理を実行する売上情報管理センターと、自動販売機の決済処理システムを構成する自動販売機であって、前記印刷装置が前記記憶部に記憶される前記売上情報を印刷するとき、前記記憶部に記憶される前記売上情報を消失から保護する売上情報保護手段を、備えたことを特徴とする。【選択図】      図１
2004287740.tif 000002
【特許請求の範囲】
【請求項１】
利用者識別情報を有する記録媒体が正当であるかどうかを判別し、前記記録媒体が正当であると判別したとき、販売商品の売上情報を記憶する判別部、販売商品の売上情報を前記判別部と異なる記憶形態で記憶する記憶部、前記記憶部に記憶される前記売上情報を印刷する印刷装置、を有し、自動販売機管理センターと、前記判別部に記憶される前記売上情報を受信し、前記自動販売機管理センターに対して、当該売上情報の決済処理を実行する売上情報管理センターと、自動販売機の決済処理システムを構成する自動販売機であって、
前記印刷装置が前記記憶部に記憶される前記売上情報を印刷するとき、前記記憶部に記憶される前記売上情報を消失から保護する売上情報保護手段を、備えたことを特徴とする自動販売機。
【請求項２】
前記売上情報保護手段は、前記記憶部に記憶される所定販売期間の前記売上情報を保護し、前記記憶部に記憶される前記所定販売期間以前の前記売上情報を消去することを特徴とする請求項１記載の自動販売機。
【請求項３】
前記売上情報保護手段は、前記記憶部に記憶される前記売上情報を保護または消去するためのフラグを有することを特徴とする請求項１または２記載の自動販売機。
【請求項４】
前記売上情報保護手段は、前記記憶部に記憶される各販売商品の前記売上情報に１対１に対応するフラグを有することを特徴とする請求項３記載の自動販売機。
【請求項５】
利用者識別情報を有する記録媒体が正当であるかどうかを判別し、前記記録媒体が正当であると判別したとき、販売商品の売上情報を記憶する判別部、販売商品の売上情報を前記判別部と異なる記憶形態で記憶する記憶部、前記記憶部に記憶される前記売上情報を印刷する印刷装置、を有し、自動販売機管理センターと、前記判別部に記憶される前記売上情報を受信し、前記自動販売機管理センターに対して、当該売上情報の決済処理を実行する売上情報管理センターと、自動販売機の決済処理システムを構成する自動販売機において、
前記印刷装置が前記記憶部に記憶される前記売上情報を印刷するとき、前記記憶部に記憶される前記売上情報を消失から保護することを特徴とする自動販売機の売上情報保護方法。
【発明の詳細な説明】
【０００１】
【発明の属する技術分野】
本発明は、自動販売機、自動販売機の売上情報保護方法に関する。
【０００２】
【従来の技術】
記録媒体に記録されている利用者識別情報を読み取って商品を販売する自動販売機は、販売商品の売上決済を行うための手段として、利用者識別情報、商品の販売時間および販売金額等を関連付けた売上情報を商品の販売の都度記憶し、当該売上情報を締め等の要求に応じて売上情報管理センターに送信する売上情報記憶モジュールを内蔵している。売上情報管理センターは、売上情報記憶モジュール内の売上情報を一旦受信すると、自動販売機を管理する自動販売機管理センターに対して、当該売上情報に相当する入金処理を実行する。これにより、売上情報管理センターと自動販売機管理センターとの間の決済処理を終了することとなる。
【０００３】
ところで、売上情報管理センターが売上情報記憶モジュールを管理している場合、自動販売機管理センターは、売上情報記憶モジュール内の売上情報を確認できずに、売上情報管理センターの決済処理の信憑性を判断できなくなる。
【０００４】
そのため、売上情報記憶モジュール内の売上情報を売上情報管理センターに送信する都度、自動販売機内の記憶部が独自に記憶する売上情報を自動販売機内のプリンタ（印刷装置）で印刷することによって、売上情報管理センターの決済処理の信憑性を判断する材料としている。尚、売上情報記憶モジュール内の売上情報の送信操作および記憶部内の売上情報の印刷操作は、自動販売機管理センターの作業員（ルートマン）が自動販売機のロケーションを巡回することによって実行される。
【０００５】
【特許文献１】
特開２００２−９９９５０号公報
【０００６】
【発明が解決しようとする課題】
記憶部は、自動販売機の扉背面等に配設される印刷装置の印刷釦が押下されると、前回の印刷操作以後記憶している所定販売期間の売上情報を読み出して印刷装置に供給する。これにより、印刷装置は、所定販売期間の売上情報を印刷媒体に印刷する。このとき、記憶部における所定販売期間の売上情報は、記憶部の記憶容量を有効に使用するため、印刷装置の印刷動作とともに消去される。
【０００７】
しかし、印刷装置が所定販売期間の売上情報を印刷媒体に印刷する過程で、印刷媒体の搬送機構が異常（紙詰まり等）を来した場合、所定販売期間の売上情報は、印刷媒体に印刷されずに消去されてしまう。これにより、売上情報管理センターの決済処理の信憑性を判断できなくなる問題があった。特に、自動販売機管理センターが管理する自動販売機の設置数が多くなる程、上記の問題は顕著となる。
【０００８】
そこで、本発明は、売上情報管理センターと自動販売機管理センターとの間の決済処理の信憑性を確実に判断できる自動販売機を提供することを目的とする。
【０００９】
【課題を解決するための手段】
前記課題を解決するための発明は、販売商品の売上情報を記憶する記憶部、前記記憶部に記憶される前記売上情報を印刷する印刷装置、を有する自動販売機において、前記印刷装置が前記記憶部に記憶される前記売上情報を印刷するとき、前記記憶部に記憶される前記売上情報を消失から保護する売上情報保護手段を、備えたことを特徴とする。この自動販売機によれば、記憶部の売上情報を印刷装置で確実に印刷することによって、売上情報管理センターと自動販売機管理センターとの間の決済処理の信憑性を確実に判断できる。
【００１０】
また、かかる自動販売機において、前記売上情報保護手段は、前記記憶部に記憶される所定販売期間の前記売上情報を保護し、前記記憶部に記憶される前記所定販売期間以前の前記売上情報を消去するものである。この自動販売機によれば、記憶部の記憶容量を効果的に使用できる。
【００１１】
また、かかる自動販売機において、前記売上情報保護手段は、前記記憶部に記憶される前記売上情報を保護または消去するためのフラグを有するものである。この自動販売機によれば、フラグの論理値を変更することによって、記憶部の売上情報の保護・消去を簡単に制御できる。
【００１２】
また、かかる自動販売機において、前記売上情報保護手段は、前記記憶部に記憶される各販売商品の前記売上情報に１対１に対応するフラグを有するものである。この自動販売機によれば、記憶部の売上情報の保護・消去を各販売商品に亘って詳細に制御できる。
【００１３】
更に、利用者識別情報を有する記録媒体が正当であるかどうかを判別し、前記記録媒体が正当であると判別したとき、販売商品の売上情報を記憶する判別部、販売商品の売上情報を前記判別部と異なる記憶形態で記憶する記憶部、前記記憶部に記憶される前記売上情報を印刷する印刷装置、を有し、自動販売機管理センターと、前記判別部に記憶される前記売上情報を受信し、前記自動販売機管理センターに対して、当該売上情報の決済処理を実行する売上情報管理センターと、自動販売機の決済処理システムを構成する自動販売機において、前記印刷装置が前記記憶部に記憶される前記売上情報を印刷するとき、前記記憶部に記憶される前記売上情報を消失から保護することを特徴とする自動販売機の売上情報保護方法も、実現可能である。
【００１４】
【発明の実施の形態】
本明細書および添付図面の記載により、少なくとも以下の事項が明らかとなる。
【００１５】
＝＝＝自動販売機の決済処理システム＝＝＝
図１を参照しつつ、本発明の自動販売機を用いる決済処理システムについて説明する。図１は、本発明の自動販売機を用いる決済処理システムを説明するためのブロック図である。
【００１６】
自動販売機２、自動販売機管理センター４、売上情報管理センター６は、通信回線８を通して各種データを送受信可能である。
【００１７】
自動販売機２は、記録媒体に記録されている利用者識別情報、金銭情報等を読み取ることによって、利用者が商品選択釦等を押下することで要求される商品を販売するものである。尚、記録媒体としては、接触型または非接触型ＩＣカード、携帯端末等、各種存在するが、説明の便宜上、非接触型ＩＣカードとして説明することとする。自動販売機２は、販売商品の売上情報を記憶する手段として、売上情報記憶モジュール１０（判別部）および制御部ＲＡＭ１２（記憶部）を有する。売上情報記憶モジュール１０は、非接触型ＩＣカード内の利用者識別情報、金銭情報等をアンテナ１４を介して読み取って正当性を判別し、非接触型ＩＣカード内の利用者識別情報、金銭情報等が正当であるものと判別すると、当該金銭情報を自動販売機２内の制御部（不図示）に送信可能とするものである。更に、売上情報記憶モジュール１０は、現在時刻を計時するタイマ１６を有し、自動販売機２が商品を販売する都度、利用者識別情報、商品の販売時刻および販売金額を関連付けた売上情報を内部記憶素子（不図示）に記憶する。
【００１８】
一方、制御部ＲＡＭ１２は、自動販売機２が商品を販売する都度、商品名、商品の販売時刻および販売金額を関連付けた売上情報、即ち、売上情報記憶モジュール１０と異なる記憶形態の売上情報を記憶するものである。更に、自動販売機２は、制御部ＲＡＭ１２内の売上情報を印刷する印刷装置２０を前扉背面等に有する。作業員等が制御部ＲＡＭ１２内の売上情報を締める目的で印刷装置２０の印刷釦２２を押下すると、印刷装置２０は、印刷釦２２の押下信号に基づいて、制御部ＲＡＭ１２内の締期間に相当する売上情報を印刷媒体に印刷する。
【００１９】
尚、印刷装置２０が印刷する制御部ＲＡＭ１２内の売上情報は、後述する売上情報保護手段で保護されており、印刷装置２０が印刷を行う過程で消去されることはない。印刷釦２２は、制御部ＲＡＭ１２内の売上情報を印刷装置２０に送信し、且つ、売上情報記憶モジュール１０内の売上情報を売上情報管理センター６に送信するための共用釦である。従って、印刷釦２２が押下されると、制御部ＲＡＭ１２内の売上情報は印刷媒体に印刷され、売上情報記憶モジュール１０内の売上情報は売上情報管理センター６に送信される。尚、売上情報記憶モジュール１０内の売上情報を売上情報管理センター６に送信するための専用釦（不図示）を配設してもよい。
【００２０】
自動販売機管理センター４は、屋内、屋外等の各種ロケーションに設置される複数の自動販売機２の管理（売上、故障等）を行うための機能を有するものである。営業所１８は、自動販売機２と自動販売機管理センター４との間の仲介を行うものである。例えば、営業所１８の作業員（ルートマン）は、複数の自動販売機２に対して、商品装填、メンテナンス等を行う。一方、営業所１８は、自動販売機管理センター４に対して、商品発注等を行う。尚、営業所１８は、自動販売機管理センター４が管理する営業所、または、自動販売機管理センター４とは独立する営業所の何れでもよい。
【００２１】
売上情報管理センター６は、作業員が複数の自動販売機２内の印刷装置２０の印刷釦２２を所定販売期間（１ヶ月等）で押下することによって、複数の自動販売機２の売上情報管理モジュール１０が記憶している売上情報を受信する。その後、売上情報管理センター６は、自動販売機管理センター４に対して、当該売上情報の決済処理（銀行振込、電子マネー処理等）を実行する。尚、売上情報管理センター６は、自動販売機管理センター４とは独立しており、売上情報記憶モジュール１０内の売上情報を独立して管理している。そのため、自動販売機管理センター４は、売上情報記憶モジュール１０内の売上情報を確認できない状態となっている。
【００２２】
以上より、作業員が自動販売機２内の印刷装置２０の印刷釦２２を所定販売期間で押下すると、売上情報管理センター６は、自動販売機管理センター４に対して、売上情報記憶モジュール１０内の売上情報に相当する決済処理を実行する。一方、印刷装置２０は、制御部ＲＡＭ１２内の売上情報を印刷媒体に確実に印刷する。従って、自動販売機管理センター４では、売上情報記憶モジュール１０内の売上情報を確認できないものの、印刷媒体上の売上情報を参照することによって、売上情報管理センター６が実行する決済処理の信憑性を確実に判断することが可能となる。
【００２３】
＝＝＝自動販売機の前面構成＝＝＝
図２を参照しつつ、本発明の自動販売機の前面構成の一例を説明する。図２は、本発明の自動販売機の前面構成の一例を説明するための正面図である。尚、本実施形態では、自動販売機は、カップ飲料を販売することとする。
【００２４】
前扉１０２は、自動販売機の右側面端を支軸として開閉するものであり、カップ飲料を調理するときに必要となる、希釈水、炭酸水、濃縮液体原料等を混合したり、砂糖、クリーム、氷等を添加したりするためのデータ設定や、販売機構のメンテナンスを行うときは解錠して開き、通常販売を行うときは施錠して閉じておくものである。パネル１０４は、透明な樹脂板であり、内部に陳列されている複数種類のカップ飲料サンプル１０６を確認するためのものである。つまり、利用者は、パネル１０４を通して複数種類のカップ飲料サンプル１０６を見渡すことにより、購入を希望するカップ飲料を選択できる。尚、複数種類のカップ飲料の写真または絵柄をパネル１０４に印刷してもよい。
【００２５】
売上情報記憶モジュール１０は、全登録利用者の利用者識別情報を記憶する利用者登録テーブル（不図示）を有し、非接触型ＩＣカード１０８内の利用者識別情報、金銭情報等を読み取った後、利用者識別情報が利用者登録テーブルに存在するかどうかを逐次比較して正当性を判別する。売上情報記憶モジュール１０は、利用者識別情報が正当であるものと判別すると、金銭情報が認識可能な価値情報であるかどうかを更に判別する。そして、売上情報記憶モジュール１０は、金銭情報が正当であるものと判別すると、金銭情報を自動販売機２内の主制御部（不図示）に送信可能とする。尚、硬貨、紙幣等の価値を識別して商品を販売するための貨幣処理部（不図示）を付設してもよい。
【００２６】
表示部１１０は、正当と判別される非接触型ＩＣカード１０８内の金銭情報を表示するものである。値段ラベル１１２は、カップ飲料サンプル１０６の下部に１対１に対応して配設されるものである。商品選択釦１１４は、販売可ランプおよび売切ランプを内蔵し、カップ飲料サンプル１０６の下部に１対１に対応して配設されるものである。上記の販売可ランプは、表示部１１０に表示される金銭情報が１杯のカップ飲料の金額以上であるとき、自動販売機２内部の希釈水タンク、炭酸水タンク、濃縮液体原料タンクが中味を有する場合のみ、このカップ飲料に対応するものが点灯する。上記の売切ランプは、希釈水タンクが空になると、希釈水を使用するカップ飲料に対応するものが常時点灯し、炭酸水タンクが空になると、炭酸水を使用するカップ飲料に対応するものが常時点灯し、何れかの濃縮液体原料タンクが空になると、この濃縮液体原料を使用するカップ飲料に対応するものが常時点灯する。
【００２７】
増量釦１１２、１１４、１１６は、１杯のコーヒー飲料を調理する際にコーヒー原料、砂糖、クリームの増量を希望するとき、商品選択釦１１４を押下する前に押下するものである。同様に、減量釦１１８、１２０、１２２は、１杯のコーヒー飲料を調理する際にコーヒー原料、砂糖、クリームの減量を希望するとき、商品選択釦１１４を押下する前に押下するものである。表示部１２４は、コーヒー原料、砂糖、クリームの増減の度合を表示するものである。氷なし釦１２６は、１杯のＣＯＬＤ飲料を調理する際に氷の添加を希望しないとき、商品選択釦１１４を押下する前に押下するものである。増量釦１１２、１１４、１１６、減量釦１１８、１２０、１２２、氷なし釦１２６を必要に応じて押下し、その後、販売可ランプが点灯している商品選択釦１１４を押下すると、このカップ飲料サンプル１０６に対応するカップ飲料が調理され、商品取出口１２８から取り出し可能となる。
【００２８】
販売中ランプ１３０は、カップ飲料が正常販売されるときに点灯するものである。販売中止ランプ１３２は、全カップ飲料が売り切れとなったとき、或いは、カップ飲料を調理するための販売機構部が故障したとき、点灯するものである。尚、販売中ランプ１３０、販売中止ランプ１３２は、表示部１１０の基板上に配設される。
【００２９】
＝＝＝自動販売機の制御構成＝＝＝
図３を参照しつつ、本発明の自動販売機の制御構成の一例について説明する。図３は、本発明の自動販売機の制御構成の一例を説明するためのブロック図である。
【００３０】
主制御部２０２は、自動販売機２の各種制御を統括するものであり、ＲＯＭ２０４、ＣＰＵ２０６、制御部ＲＡＭ１４としてのＲＡＭ２０８、周辺回路２１０（タイマ、カウンタ等）を有する。例えば、主制御部２０２は、マイクロコンピュータを中心としてプログラム動作するものである。詳述すると、ＲＯＭ２０４は、後述する複数の従制御部を統括制御するためのプログラムデータ、参照テーブルデータ等が予め記憶されている。尚、ＲＯＭ２０４は、データを製造工程で焼き付け固定するマスクＲＯＭ、データを紫外線消去して書き込み読み出しするＥＰＲＯＭ、データを電気消去して書き込み読み出しするＥＥＰＲＯＭ（フラッシュＲＯＭを含む）等の不揮発性記憶素子で構成される。ＣＰＵ２０６は、ＲＯＭ２０４から読み出されたプログラムデータの解読結果に従って複数の従制御部を統括制御するものである。尚、ＣＰＵ２０６は、ＲＯＭ２０４のアドレスを指定するアドレスカウンタ、ＲＯＭ２０４から読み出されたプログラムデータを解読するプログラマブルロジックアレイ、論理演算を行う演算論理ユニット、演算データを一時格納するレジスタ等（何れも不図示）を有する。ＲＡＭ２０８は、ＣＰＵ２０６で論理演算される作業データ、複数の従制御部から送信されて来る各種データ等の書き込みと読み出しを行うものである。特に、ＲＡＭ２０８は、自動販売機２がカップ飲料を販売する都度、当該カップ飲料の商品名、販売時刻、販売金額を関連付けた売上情報を記憶するデータエリアと、売上情報の保護または消去を制御するためのフラグを記憶するフラグエリアと、を有する。尚、ＲＡＭ２０８は、ＳＲＡＭ等の揮発性記憶素子で構成され、ＲＡＭ２０８内のデータは、バックアップ電源にて保持される。
【００３１】
カード読取制御部２１２、接客制御部２１４、販売制御部２１６、入出力制御部２１８は、上記の複数の従制御部に相当し、主制御部２０２と同様のＲＯＭ、ＣＰＵ、ＲＡＭ、周辺回路等を有する。
【００３２】
売上情報記憶モジュール１０は、非接触型ＩＣカード１０８内の利用者識別情報、金銭情報等が正当であるものと判別したとき、当該金銭情報をカード読取制御部２１２に送信する。カード読取制御部２１２は、当該金銭情報を主制御部２０２に送信する。主制御部２０２は、当該金銭情報が１杯のカップ飲料の金額以上であるものと判別したとき、商品選択釦１１４を点灯させるための信号を接客制御部２１４に送信する。これにより、商品選択釦１１４が点灯した状態となる。
【００３３】
接客面２２０は、表示部１１０、商品選択釦１１４、増量釦１１２、１１４、１１６、減量釦１１８、１２０、１２２、表示部１２４、氷なし釦１２６、販売中ランプ１３０、販売中止ランプ１３２等からなるものである。接客制御部２１４は、接客面２２０を制御する。即ち、接客制御部２１４は、主制御部２０２からのカップ飲料販売に関する接客信号を受信することによって、販売中ランプ１３０、販売中止ランプ１３２、販売飲料別の販売可ランプ、売切ランプの点灯消灯を制御したり、更には、複数の商品選択釦１１４の何れかが押下されたときの押下信号を主制御部２０２に送信したりする。
【００３４】
販売制御部２１６は、販売機構部２２２を制御し、接客制御部２１４からの押下信号に応答する主制御部２０２からの販売信号を受信することによって、カップ飲料を調理して商品取出口１２８にて取出可能とするものである。
【００３５】
キー入力部２２４は、数字、記号、アルファベット等のキーおよびファンクションキーと、これらのキーの操作に関する内容を表示する表示部（有機ＥＬ、ＬＣＤ等）とを、前面に備えたものである。キー入力部２２４は、入出力制御部２１８と有線で接続される。入出力制御部２１８は、キー入力部２２４の操作入力データを主制御部２０２に送信する。これにより、カップ飲料を調理するための各種データ設定を行うことができる。
【００３６】
印刷装置２０は、売上情報を印刷するための印刷釦２２を有し、主制御部２０２のＲＡＭ２０８に記憶されている売上情報を印刷媒体に印刷するものである。作業員等が印刷釦２２を押下すると、印刷装置２０は印刷釦２２の押下信号を主制御部２０２に送信する。主制御部２０２は、当該押下信号に応答して、ＲＡＭ２０８内の売上情報を印刷装置２０に送信する。これにより、印刷装置２０は、ＲＡＭ２０８内の売上情報を印刷することができる。
【００３７】
通信部２２６は、自動販売機２の売上情報記憶モジュール１２と売上情報管理センター６との間の通信のインターフェースを行うものである。
【００３８】
尚、主制御部２０２と従制御部２１２、２１４、２１６、２１８との間の通信は、主制御部２０２が優先的な送信権を有するポーリング方式、或いは、主制御部２０２および従制御部２１２、２１４、２１６、２１８が対等な送信権を有するコンテンション方式の何れであってもよい。
【００３９】
＝＝＝主制御部内のＲＡＭのデータマップ＝＝＝
図４を参照しつつ、本発明の自動販売機に用いる主制御部内のＲＡＭのデータマップについて説明する。図４は、本発明の自動販売機に用いる主制御部内のＲＡＭのデータマップを説明するための図である。
【００４０】
主制御部２０２内のＲＡＭ２０８は、商品名、販売時刻、販売金額を関連付けた所定販売期間の売上情報を記憶するデータエリアＤ１、Ｄ２と、当該データエリアＤ１、Ｄ２内の各売上情報の保護または消去を制御するためのフラグを記憶するフラグエリアＦと、を有する。尚、上記のフラグは、各売上情報に１対１に対応して記憶される１ビット値であって、例えば、ＲＡＭ２０８内の各売上情報を保護する必要がある場合は論理値“１”、ＲＡＭ２０８内の各売上情報を保護する必要がない場合は論理値“０”となる。即ち、上記のフラグは、図４の紙面右側のデータ配列に示す通り、各売上情報に付加される制御情報となる。本実施形態では、データエリアＤ１内の売上情報は、作業員が売上情報を締める目的で印刷装置２０の印刷釦２２を押下した際の最新の締処理済み情報である。尚、データエリアＤ１内の各売上情報に対応して記憶される全フラグは、論理値“１”である。一方、データエリアＤ２内の売上情報は、印刷装置２０がデータエリアＤ１内の売上情報の印刷動作を実行した後の、データエリアＤ１内の売上情報に続く締未処理情報である。従って、データエリアＤ１内の売上情報は、印刷装置２０が当該売上情報の印刷動作を実行した後も、消去されずに保護される。
【００４１】
＝＝＝自動販売機の売上情報記憶動作＝＝＝
図５を参照しつつ、本発明の自動販売機の売上情報記憶動作の一例について説明する。図５は、本発明の自動販売機の売上情報記憶動作を説明するためのフローチャートである。尚、図５のフローチャートは、主制御部２０２が主体となって実行するものである。
【００４２】
先ず、利用者が自動販売機２の売上情報記憶モジュール１０の前面で非接触型ＩＣカード１０８を一度翳すと、売上情報記憶モジュール１０は、非接触型ＩＣカード１０８内の利用者識別情報、金銭情報を読み取り双方の正当性を判別する。この際、非接触型ＩＣカード１０８内の金銭情報は、売上情報記憶モジュール１０に一旦移動する。売上情報記憶モジュール１０は、利用者識別情報、金銭情報を正当と判別すると、利用者識別情報、金銭情報を保持する一方、金銭情報をカード読取制御部２１２に送信する。カード読取制御部２１２は、金銭情報を主制御部２０２に送信する。これにより、主制御部２０２は、金銭情報を受信することとなる（Ｓ２：ＹＥＳ）。
【００４３】
主制御部２０２は、金銭情報が１杯のカップ飲料の金額以上であるかどうかを判別する（Ｓ４）。主制御部２０２は、金銭情報が１杯のカップ飲料の金額以上であるものと判別すると（Ｓ４：ＹＥＳ）、商品選択釦１１４の販売可ランプを点灯するための信号を接客制御部２１４に送信する。接客制御部２１４は商品選択釦１１４の販売可ランプを制御し、商品選択釦１１４の販売可ランプは点灯する（Ｓ６）。
【００４４】
利用者が何れか１つの商品選択釦１１４を押下すると、接客制御部２１４は、該当する商品選択釦１１４の押下信号を主制御部２０２に送信する。これにより、主制御部２０２は、商品選択釦１１４の押下信号を受信することとなる（Ｓ８：ＹＥＳ）。
【００４５】
主制御部２０２は、商品選択釦１１４の押下信号を解読して、カップ飲料を販売するための信号を販売制御部２１６に送信する。販売制御部２１６は販売機構部２２２を制御し、販売機構部２２２は、利用者が要求するカップ飲料を調理して商品取出口１２８にて取出可能とする（Ｓ１０）。
【００４６】
販売制御部２１６は、販売機構部２２２がカップ飲料を販売したとき、販売終了信号を主制御部２０２に送信する。これにより、主制御部２０２は、販売終了信号を受信することとなる（Ｓ１２：ＹＥＳ）。
【００４７】
ＲＯＭ２０４は、個々の商品選択釦１１４、商品名、販売金額を関連付けたテーブルデータを記憶している。また、周辺回路２１０のタイマは、現在時刻を計時している。そこで、主制御部２０２は、ＲＯＭ２０４のテーブルデータを参照して該当する商品選択釦１１４と対応する商品名および販売金額を求め、商品名、販売時刻、販売金額を関連付けた売上情報をＲＡＭ２０８のデータエリアＤ１（またはＤ２）に記憶する。同時に、主制御部２０２は、ＲＡＭ２０８の中で、データエリアＤ１（またはＤ２）に記憶される売上情報と対応するフラグエリアＦに論理値“１”を記憶する（Ｓ１４）。
【００４８】
主制御部２０２は、ＲＡＭ２０８が記憶するステップＳ１４の売上情報のうち、販売金額の情報をカード読取制御部２１２に送信する。カード読取制御部２１２は、販売金額の情報を売上情報記憶モジュール１０に送信する。売上情報記憶モジュール１０は、保持している利用者識別情報、販売時刻、販売金額を関連付けた売上情報、即ち、ＲＡＭ２０８と異なる記憶形態の売上情報を内部記憶素子に記憶する。更に、売上情報記憶モジュール１０は、保持している金銭情報から販売金額を減算する。そして、利用者が売上情報記憶モジュール１０の前面で非接触型ＩＣカード１０８を再度翳すと、売上情報記憶モジュール１０は、減算後の金銭情報を非接触型ＩＣカード１０８に送信する（Ｓ１６）。
【００４９】
一方、主制御部２０２は、金銭情報が１杯のカップ飲料の金額未満であるものと判別すると（Ｓ４：ＮＯ）、販売停止信号を接客制御部２１４に送信する。接客制御部２１４は表示部１１０を制御し、表示部１１０は金銭情報が１杯のカップ飲料の金額未満であることを表示して告知する。同様に、主制御部２０２は、販売停止信号をカード読取制御部２１２に送信する。カード読取制御部２１２は、販売停止信号を売上情報記憶モジュール１０に送信する。そして、利用者が売上情報記憶モジュール１０の前面で非接触型ＩＣカード１０８を再度翳すと、売上情報記憶モジュール１０は、保持している金銭情報を非接触型ＩＣカード１０８に送信する（Ｓ１８）。
【００５０】
以上より、主制御部２０２内のＲＡＭ２０８と売上情報記憶モジュール１０は、販売商品の売上情報を異なる記憶形態で記憶することとなる。作業員が印刷装置２０の印刷釦２２を押下すると、印刷装置２０は、ＲＡＭ２０８のデータエリアＤ１内の売上情報を印刷媒体に印刷し、一方、売上情報記憶モジュール１０は、データエリアＤ１内の売上情報に相当する売上情報を通信部２２６を介して売上情報管理センター６に送信する。この自動販売機２が屋内、屋外等の各種ロケーションに設置されることとなる。尚、本実施形態では、非接触型ＩＣカード１０８を商品販売時に２度翳す必要があるが、これに限定されるものではない。
【００５１】
＝＝＝自動販売機の売上情報処理動作＝＝＝
図６を参照しつつ、本発明の自動販売機の売上情報処理動作の一例について説明する。図６は、本発明の自動販売機の売上情報処理動作を説明するためのフローチャートである。尚、図６のフローチャートは、主制御部２０２が主体となって実行するものである。
【００５２】
先ず、作業員が自動販売機２の前扉１０２を開き、ＲＡＭ２０８のデータエリアＤ１内の締未処理の売上情報を締める目的で、印刷装置２０の印刷釦２２を押下すると、印刷装置２０は、印刷釦２２の押下信号を主制御部２０２に送信する。これにより、主制御部２０２は、印刷釦２２の押下信号を受信することとなる（Ｓ１０２：ＹＥＳ）。
【００５３】
主制御部２０２は、ＲＡＭ２０８の中でデータエリアＤ１と対応するフラグエリアＦの全フラグが論理値“１”であることを確認した後、データエリアＤ１内の売上情報を継続して記憶させるとともに、データエリアＤ１内の売上情報を印刷装置２０に送信する。印刷装置２０は、データエリアＤ１内の各売上情報を集計して印刷媒体に印刷する。尚、印刷装置２０がデータエリアＤ１内の売上情報を印刷する過程で、印刷媒体の搬送機構等が異常を来した場合であっても、データエリアＤ１内の売上情報は保護されているため、他の印刷釦（不図示）を押下することによって再度印刷できることとなる（Ｓ１０４）。
【００５４】
主制御部２０２は、ＲＡＭ２０８の中でデータエリアＤ２と対応するフラグエリアＦの全フラグを論理値“０”に変更する。そして、主制御部２０２は、データエリアＤ２と対応するフラグエリアＦの全フラグが論理値“０”であることを確認した後、データエリアＤ２内の情報を消去する（Ｓ１０６）。
【００５５】
主制御部２０２は、ステップＳ１０２の印刷釦２２の押下信号に応答して、売上情報送信信号をカード読取制御部２１２に送信する。カード読取制御部２１２は、売上情報送信信号を売上情報記憶モジュール１０に送信する。売上情報記憶モジュール１０は、内部記憶素子が記憶するデータエリアＤ１内の売上情報に相当する売上情報を売上情報管理センター６に送信する。従って、売上情報管理センター６は、自動販売機管理センター４に対して、売上情報に相当する決済処理を実行する（Ｓ１０８）。
【００５６】
その後、作業員がＲＡＭ２０８のデータエリアＤ２内の締未処理の売上情報を締める目的で、印刷装置２０の印刷釦２２を押下すると、印刷装置２０は、印刷釦２２の押下信号を主制御部２０２に送信する。これにより、主制御部２０２は、印刷釦２２の押下信号を受信することとなる（Ｓ１１０：ＹＥＳ）。
【００５７】
主制御部２０２は、ＲＡＭ２０８の中でデータエリアＤ２と対応するフラグエリアＦの全フラグが論理値“１”であることを確認した後、データエリアＤ２内の売上情報を継続して記憶させるとともに、データエリアＤ２内の売上情報を印刷装置２０に送信する。印刷装置２０は、データエリアＤ２内の各売上情報を集計して印刷媒体に印刷する。尚、印刷装置２０がデータエリアＤ２内の売上情報を印刷する過程で、印刷媒体の搬送機構等が異常を来した場合であっても、データエリアＤ２内の売上情報は保護されているため、他の印刷釦（不図示）を押下することによって再度印刷できることとなる（Ｓ１１２）。
【００５８】
主制御部２０２は、ＲＡＭ２０８の中でデータエリアＤ１と対応するフラグエリアＦの全フラグを論理値“０”に変更する。そして、主制御部２０２は、データエリアＤ１と対応するフラグエリアＦの全フラグが論理値“０”であることを確認した後、データエリアＤ１内の情報を消去する（Ｓ１１４）。
【００５９】
主制御部２０２は、ステップＳ１１０の印刷釦２２の押下信号に応答して、売上情報送信信号をカード読取制御部２１２に送信する。カード読取制御部２１２は、売上情報送信信号を売上情報記憶モジュール１０に送信する。売上情報記憶モジュール１０は、内部記憶素子が記憶するデータエリアＤ２内の売上情報に相当する売上情報を売上情報管理センター６に送信する。従って、売上情報管理センター６は、自動販売機管理センター４に対して、売上情報に相当する決済処理を実行する（Ｓ１１６）。
【００６０】
以上より、ＲＡＭ２０８内の売上情報を印刷媒体に確実に印刷できるため、印刷媒体上の売上情報を参照することによって、売上情報管理センター６が実行する決済処理の信憑性を確実に判断することが可能となる。尚、自動販売機管理センター４が複数の自動販売機２を管理する程、効果は顕著となる。
【００６１】
＝＝＝その他の実施形態＝＝＝
以上、本発明の自動販売機、自動販売機の売上情報保護方法について説明したが、上記した発明の実施の形態は、本発明の理解を容易とするためのものであり、本発明を限定するものではない。本発明は、その趣旨を逸脱することなく、変更、改良され得るとともに、本発明にはその等価物が含まれることは勿論である。
【００６２】
≪売上情報保護手段≫
本実施形態では、売上情報保護手段のフラグをＲＡＭ２０８の一部記憶エリアに記憶しているが、これに限定されない。例えば、上記のフラグをＲＡＭ２０８とは独立するレジスタ等に設定してもよい。この場合、ＲＡＭ２０８の記憶容量の増大を防止できるとともに、ＲＡＭ２０８の記憶容量を別用途にも使用できる。
【００６３】
本実施形態では、ＲＡＭ２０８内で、各データエリアと対応するフラグエリアＦの全フラグを論理値“１”“０”の一方に設定しているが、これに限定されない。例えば、各データエリアと対応するフラグエリアＦの全フラグを論理値“１”から論理値“０”へ変更する前、各データエリア内で特定商品の売上情報と対応するフラグを論理値“１”、他商品の売上情報と対応するフラグを論理値“０”に個別設定してもよい。この場合、特定商品の売上情報を個別集計できる。
【００６４】
≪記憶部の売上情報≫
本実施形態では、ＲＡＭ２０８内のデータエリアを２個設定して、締処理済み、締未処理の売上情報を交互に記憶しているが、これに限定されない。例えば、ＲＡＭ２０８内のデータエリアを３個以上設定してもよい。この場合、締処理済みの売上情報を長期間保持でき、締処理済み、締未処理の売上情報の記憶と消去の頻度を抑えてソフトウエアの負担を軽減できる。
【００６５】
【発明の効果】
本発明によれば、売上情報管理センターと自動販売機管理センターとの間の決済処理の信憑性を確実に判断できる。
【図面の簡単な説明】
【図１】本発明の自動販売機を用いる決済処理システムを説明するためのブロック図である。
【図２】本発明の自動販売機の前面構成の一例を説明するための正面図である。
【図３】本発明の自動販売機の制御構成の一例を説明するためのブロック図である。
【図４】本発明の自動販売機に用いる主制御部内のＲＡＭのデータマップを説明するための図である。
【図５】本発明の自動販売機の売上情報記憶動作を説明するためのフローチャートである。
【図６】本発明の自動販売機の売上情報処理動作を説明するためのフローチャートである。
【符号の説明】
２  自動販売機
４  自動販売機管理センター
６  売上情報管理センター
８  通信回線
１０  売上情報記憶モジュール
１２  制御部ＲＡＭ
２０  印刷装置
２２  印刷釦
Ｄ１、Ｄ２  データエリア
Ｆ  フラグエリア
【図１】
2004287740.tif 000003
【図２】
2004287740.tif 000004
【図３】
2004287740.tif 000005
【図４】
2004287740.tif 000006
【図５】
2004287740.tif 000007
【図６】
2004287740.tif 000008